(57)【要約】 【課題】明るい周囲環境において画面に表示される映像が見やすく、また省力効果も期待できる電子機器および映像システムを提供する。【解決手段】実施形態の電子機器は、表示パネル、バックライト、同期処理部、バックライト駆動部、送信部を備える。表示パネルは映像を表示する。バックライトは表示パネルを背面から照明する。同期処理部は映像を１フレーム毎に表示パネルに表示するための垂直同期期間を示す同期信号に応じたバックライト制御信号またはバックライト制御信号に同期して眼鏡に設けたシャッタを開閉制御するためのシャッタ制御信号を生成する。バックライト駆動部は同期処理部により生成されたバックライト制御信号を受けて垂直同期期間の所定期間にバックライトを点消灯させる。送信部はバックライト制御信号またはシャッタ制御信号を外部へ送信する。【選択図】図１
2016065929.tif 000002
【特許請求の範囲】
【請求項１】
映像を表示する表示パネルと、
前記表示パネルを背面から照明するバックライトと、
前記映像を１フレーム毎に前記表示パネルに表示するための垂直同期期間を示す同期信号に応じたバックライト制御信号または前記バックライト制御信号に同期して眼鏡に設けたシャッタを開閉制御するためのシャッタ制御信号を生成する同期処理部と、
前記同期処理部により生成されたバックライト制御信号を受けて前記垂直同期期間の所定期間に前記バックライトを点消灯させるバックライト駆動部と、
前記バックライト制御信号または前記シャッタ制御信号を外部へ送信する送信部と
を備える電子機器。
【請求項２】
前記バックライト駆動部は、
前記シャッタの閉口動作に合わせて前記バックライトを消灯させる請求項１記載の電子機器。
【請求項３】
前記バックライト駆動部は、
前記シャッタの開口動作に合わせて前記バックライトを点灯させる請求項１記載の電子機器。
【請求項４】
前記バックライトを点灯させる期間を、１フレーム分の垂直同期期間のうちの次の同期信号がくる直前の位置から一定の期間とした請求項１記載の電子機器。
【請求項５】
前記バックライト駆動部は、
前記シャッタを開口する開口期間以外の閉口期間に前記バックライトを消灯させ、前記開口期間に増加させた電流を前記バックライトに流す請求項４記載の電子機器。
【請求項６】
表示パネルに映像を表示する電子機器と前記表示パネルに表示される映像を視聴するための眼鏡装置とを有する映像システムにおいて、
前記電子機器は、
背面から前記表示パネルを照明するバックライトと、
前記映像を１フレーム毎に前記表示パネルに表示するための垂直同期期間を示す同期信号に応じたバックライト制御信号または前記バックライト制御信号に同期して眼鏡装置に設けたシャッタを開閉制御するためのシャッタ制御信号を生成する同期処理部と、
前記同期処理部により生成されたバックライト制御信号を受けて前記垂直同期期間の所定期間に前記バックライトを消点灯させるバックライト駆動部と、
前記シャッタ制御信号または前記バックライト制御信号を外部へ送信する送信部とを備え、
前記眼鏡装置は、
前記表示パネルに表示される映像の光を受光するための光学系と、
前記光学系に設けられ、電気的または機械的に開閉制御されることで前記光学系を通過する光を遮蔽および透過させるシャッタと、
前記シャッタ開閉制御信号または前記バックライト制御信号を受信する受信部と、
前記受信部により受信された前記シャッタ制御信号または前記バックライト制御信号から生成したシャッタ制御信号に従い、前記バックライトが点消灯するタイミグに合わせて前記シャッタを開閉制御するシャッタ駆動部と
を備える映像システム。
【請求項７】
前記光学系に配置され、前記映像に含まれる所定波長の光を透過し、それ以外の波長の光を減衰させる光学フィルタをさらに具備する請求項６に記載の映像システム。
【請求項８】
電子機器の表示パネルに表示される映像を視聴するための眼鏡装置において、
前記表示パネルに表示される映像の光を受光するための光学系と、
前記光学系に設けられ、電気的に開閉制御されることで前記光学系を通過する光を遮蔽および透過させるシャッタと、
前記電子機器から送信された前記シャッタを開閉制御するためのシャッタ制御信号または前記表示パネルのバックライトの点消灯を制御するためのバックライト制御信号を受信する受信部と、
前記受信部により受信された前記シャッタ制御信号または前記バックライト制御信号から生成したシャッタ制御信号に従い、前記バックライトが点消灯するタイミングに合わせて前記シャッタを開閉制御するシャッタ駆動部と
を備える眼鏡装置。
【発明の詳細な説明】
【技術分野】
【０００１】
本発明の実施形態は、電子機器、映像システムおよび眼鏡装置に関する。
【背景技術】
【０００２】
例えばリビングルームなどのように複数の人が集まる居住空間では、それぞれが別の行為を行う、例えば本を読んだりＴＶや携帯端末の画面の映像を視聴したりすることがある。
【０００３】
人が本を読む環境としては、周囲の環境が明るいほうがよく、ＴＶや携帯端末の画面を視聴する環境は周囲が暗いほうが好ましいため、この２つの環境を同じ空間で実現することはむずかしい。またこれは屋外環境でも同じことが言える。
【０００４】
一般に、周囲の環境が明るい場合、視聴者はサングラスなどの眼鏡装置をかけてＴＶの映像を視聴すると、若干ではあるが映像が見やすくなる。
【０００５】
従来から、メガネをかけてテレビの映像を視聴するための技術として、例えばメガネに設けた左右の液晶シャッタを交互にオン・オフ制御することで３Ｄ映像を視聴可能にする技術が知られている。
【先行技術文献】
【特許文献】
【０００６】
【特許文献１】特開２０１１−２２８９４５号公報
【発明の概要】
【発明が解決しようとする課題】
【０００７】
従来の技術では、３Ｄ映像を視聴できるものの、ＴＶの映像を視聴する周辺の明るさの影響を改善するためのものではないため、周囲が明るい環境では効果が得られない。また周囲環境の明るさに合わせて映像を表示する画面の輝度を上げると、映像の見やすさは改善するものの機器の電力消費量が多くなり、携帯端末のようにバッテリで動作する電子機器にはよい対策とは言えない。
【０００８】
本発明が解決しようとする課題は、明るい周囲環境において画面に表示される映像が見やすく、また省力効果も期待できる電子機器、映像システムおよび眼鏡装置を提供することにある。
【課題を解決するための手段】
【０００９】
実施形態の電子機器は、表示パネル、バックライト、同期処理部、バックライト駆動部、送信部を備える。表示パネルは映像を表示する。バックライトは表示パネルを背面から照明する。同期処理部は映像を１フレーム毎に表示パネルに表示するための垂直同期期間を示す同期信号に応じたバックライト制御信号またはバックライト制御信号に同期して眼鏡に設けたシャッタを開閉制御するためのシャッタ制御信号を生成する。バックライト駆動部は同期処理部により生成されたバックライト制御信号を受けて垂直同期期間の所定期間にバックライトを点消灯させる。送信部はバックライト制御信号またはシャッタ制御信号を外部へ送信する。
【図面の簡単な説明】
【００１０】
【図１】第１実施形態の映像システムの概要構成を示す図である。
【図２】図１の映像システムの詳細構成を示す図である。
【図３】ＬＥＤバックライトの点灯期間と流す電流との関係を示す図である。
【図４】液晶パネルとＬＥＤバックライトと液晶シャッタとの信号および開閉動作のタイミングを示すタイミングチャートである。
【図５】第１実施形態の映像システムの効果を説明するための図である。
【図６】映像システムの他の構成例（第２実施形態）を示す図である。
【図７】映像システムの他の構成例（第３実施形態）を示す図である。
【発明を実施するための形態】
【００１１】
以下、図面を参照して、実施形態を詳細に説明する。
【００１２】
（第１実施形態）  
図１は第１実施形態の映像システムを示す図である。  
図１に示すように、第１実施形態の映像システムは、映像表示装置１と眼鏡装置としての液晶シャッタ付きグラス２とを備える。
【００１３】
映像表示装置１は、例えば地上デジタルテレビジョン放送を受信し表示する機能を有するものであり、例えばリビングルームなどの室内に配置されるものとする。映像表示装置１は、映像処理部１１、表示制御部１２、Ｘ−ドライバおよびＹ−ドライバを有する液晶駆動部１３、液晶パネル１４、信号生成部としての同期処理部１５、ＬＥＤドライバ１６、ＬＥＤバックライト１７、通信部としてのＩＲ通信部１８などを有する。
【００１４】
映像処理部１１は、地上デジタルテレビジョン放送を受信するチューナ、受信された放送から映像信号（以下「ビデオ信号」と称す）および同期信号を生成し表示制御部１２に出力するまでの各種信号処理機能を備える。
【００１５】
表示制御部１２は、映像処理部１１からビデオ信号と同期信号を受けて液晶パネル１４に映像を描画するための水平同期信号Ｈおよび垂直同期信号Ｖを液晶駆動部１３へ出力する。
【００１６】
液晶駆動部１３では、Ｘ−ドライバが水平同期信号Ｈを基に液晶パネル１４の走査電極を駆動し、Ｙ−ドライバが垂直同期信号Ｖを基に液晶パネル１４の信号電極を駆動することで、ビデオ信号の映像を液晶パネル１４に描画する。
【００１７】
液晶パネル１４は、液晶分子を挟んだ配向膜に光フィルタ（偏光フィルタおよびカラーフィルタ）などの偏光板を積層したものである。液晶パネル１４は、電気的に液晶分子の配列を変えることで、裏面（背後）に配置したＬＥＤバックライト１７からの光の透過量を制御しパネル全体として映像を表示する。
【００１８】
液晶パネル１４としては、例えばIn Plane Switching(以下「ＩＰＳ」と称す)方式やVertical Alignment(以下「ＶＡ」と称す)方式などの液晶パネルが用いられる。
【００１９】
ＬＥＤドライバ１６は、ＬＥＤバックライト１７の点消灯を制御するための制御信号（この例では点灯信号Ｐ）をＬＥＤバックライト１７へ出力する。すなわちこのＬＥＤドライバ１６は、同期処理部１５により生成された点灯信号Ｐを受けて垂直同期期間の所定期間（点灯期間Ｔ（図２および図３参照））にＬＥＤバックライト１７を点消灯させるバックライト駆動部である。
【００２０】
ＬＥＤドライバ１６は、液晶パネル１４の開口動作に合わせてＬＥＤバックライト１７を点灯させる。ＬＥＤドライバ１６は、液晶シャッタ２４の閉口動作に合わせてＬＥＤバックライト１７を消灯させる。
【００２１】
ＬＥＤバックライト１７は、複数のＬＥＤを列設した板状の部材を液晶パネル１４の裏面に配置したものであり、点灯信号Ｐに従いＬＥＤを点灯させることで液晶パネル１４を明るくし映像を視聴可能とする。つまりＬＥＤバックライト１７は、表示パネル１４を背面から照明するものである。
【００２２】
同期処理部１５は、入力された垂直同期信号Ｖから液晶シャッタ２４を開閉制御するためのシャッタ制御信号（この例では開放信号Ｓ）およびＬＥＤバックライト１７の点消灯制御のためのバックライト制御信号（この例では点灯信号Ｐ）を生成し、点灯信号ＰをＬＥＤドライバ１６へ出力し、開放信号ＳをＩＲ通信部１８へ出力する。
【００２３】
なお、この例では開放信号Ｓと点灯信号Ｐとしたが、この逆に、液晶シャッタ２４を閉鎖するタイミングを示す閉鎖信号とＬＥＤバックライト１７を消灯するための消灯信号としてもよい。
【００２４】
すなわち同期処理部１５は、映像を１フレーム毎に表示パネル１４に表示するための垂直同期期間を示す同期信号（垂直同期信号Ｖ）に応じた点灯信号Ｐまたはこの点灯信号Ｐに同期して液晶シャッタ付きグラス２に設けた液晶シャッタ２４を開閉制御するための開放信号Ｓを生成する。
【００２５】
ＩＲ通信部１８は、同期処理部１５から入力された開放信号Ｓを液晶シャッタ付きグラス２へ赤外線通信（ＩＲ通信）により出力する。つまりこのＩＲ通信部１８は、開放信号Ｓを外部の連係機器である液晶シャッタ付きグラス２へ送信する送信部である。
【００２６】
液晶シャッタ付きグラス２との通信には、赤外線通信(ＩＲ通信)の他に、例えばＢｌｕｅｔｏｏｔｈ（登録商標）や無線ＬＡＮなどの無線通信方式を使用してもよい。
【００２７】
液晶シャッタ付きグラス２は、信号通信部としてのＩＲ通信部２１、駆動部２２、光学系２３、調光部２６を有する。
【００２８】
ＩＲ通信部２１は、映像表示装置１からＩＲ通信により送信された開放信号Ｓを受信し駆動部２２に渡す。
【００２９】
駆動部２２は、ＩＲ通信部２１により受信された開放信号Ｓに従い、ＬＥＤバックライト１７が点消灯するタイミグに合わせて液晶シャッタ２４を開閉制御する。つまり駆動部２２は、ＩＲ通信部２１から渡された開放信号Ｓにて液晶シャッタ２４を駆動し液晶シャッタ２４を開口する。
【００３０】
液晶シャッタ２４を駆動制御するための制御信号としての開放信号Ｐは、液晶シャッタ２４を開口するためのｏｎ信号である。また閉鎖信号の場合は液晶シャッタ２４を閉口するためのｏｆｆ信号である。
【００３１】
光学系２３は、表示パネル１４に表示される映像の光を受光するためのものである。光学系２３は、液晶シャッタ２４、バンドカットフィルタとしてのカラーフィルタ２５を有する。光学系２３は左右それぞれ独立した２眼のものでもよく、または左右がなく一面（一体）のものであってもよい。
【００３２】
液晶シャッタ２４は、液晶層を２枚の偏光板で挟んで構成したものであり、光学系２３に一体的に設けられており、電気的または機械的に開閉制御されることで光学系２３を通過する光を遮蔽および透過させる。ここに示した液晶シャッタ２４は、一例であり、高速に開閉可能なものであれば、機械式のシャッタであってもよい。
【００３３】
偏光板は、単一偏光の光を透過し、ランダム偏向の光を減衰させる機能を有する。単一偏光の光は、この例の場合、液晶パネル１４からの映像に該当し、ランダム偏向の光は室内照明の光である周辺光や室外からの外光やその反射光および照明光が壁に反射した反射光（映り込み）などが該当する。
【００３４】
このように光学系２３に偏光板を設けることで周辺光や外光反射がほぼ半分程度に減衰することから映像の減衰が少なくなるという効果が得られる。
【００３５】
カラーフィルタ２５は、液晶シャッタ２４の一方の面（この場合、光Ｑが入射する面と反対側の面）に配設されている。カラーフィルタ２５は、例えばＲＧＢフィルタなどのように一部の周波数帯域（波長）をカットする光学フィルタである。ＲＧＢフィルタは、液晶パネル１４に映し出される映像に含まれるＲＧＢ波長の光を透過し、それ以外の波長、例えば連続波長の光を減衰させる光学フィルタとして機能を有する。
【００３６】
連続波長の光は、周辺光、外光および反射光などが該当する。カラーフィルタ２５を設けることで、映像の減衰が少なく色域が拡大する効果がある。
【００３７】
液晶シャッタ２４は、電気的に開閉制御することによりこの光学系２３を透過する光を遮蔽および透過させる。液晶シャッタ２４の動作原理は液晶パネル１４とほぼ同じである。
【００３８】
調光部２６は、液晶シャッタ２４の開閉の調光幅を調整するためのものであり、光センサを備える。光センサが周囲の光量を検出して、その光量に応じて光学系２３に入る受光量を調整する。調光部２６は、周囲の明るさが明るいほど受光量を絞り、調光サングラスとしての効果を奏する。
【００３９】
なお光センサを用いずに利用者自身がボリュームにて受光量を調整してもよい。つまり調光部２６の機能は、グラス全体として明るさを変える機能である。この他、光学系２３として例えば視度調整の機能を設けてもよい。
【００４０】
このＴＶシステムでは、映像表示装置１において、液晶パネル１４に映像を表示させる際に、液晶パネル１４に出力した垂直同期信号Ｖを同期処理部１５に送り、同期処理部１５は垂直同期信号Ｖから開放信号Ｓおよび点灯信号Ｐを生成し、点灯信号ＰをＬＥＤドライバ１６へ出力し、開放信号ＳをＩＲ通信部１８から無線通信で液晶シャッタ付きグラス２へ出力する。
【００４１】
ＬＥＤドライバ１６は、受け取った点灯信号Ｐのタイミング（図３、図４の点灯期間Ｔを参照）でＬＥＤバックライト１７を点灯させる。点灯期間Ｔ以外、ＬＥＤバックライト１７は消灯される。
【００４２】
一方、垂直同期信号Ｖを受けた液晶シャッタ付きグラス２では、映像表示装置１の側で駆動部２２が開放信号Ｓに合わせて液晶シャッタ２４を駆動し開閉させる。
【００４３】
ここで、図３を参照してＬＥＤバックライト１７の点灯タイミングと電流との関係について説明する。
【００４４】
図３に示すように、１画面分の映像を描画する期間である１フレームの期間が、例えば１／６０ｓｅｃとすると、同期処理部１５は、その１フレームの期間のうちの次のフレームに隣接する一部の期間、例えば１／１８０ｓｅｃの期間だけ点灯信号Ｐを出力し、ＬＥＤバックライト１７を点灯させる。
【００４５】
その前の２／１８０ｓｅｃの期間はＬＥＤバックライト１７を消灯させる。つまりＬＥＤバックライト１７を点灯させる期間を、１フレーム分の垂直同期期間のうちの次の垂直同期信号Ｖがくる直前の位置から一定の期間（ｄｕｔｙ３３％の場合は１／１８０ｓｅｃまたはｄｕｔｙ４０％の場合は１／１５０ｓｅｃなど）としている。
【００４６】
エネルギーとしてみると、１アンペアを１／６０ｓｅｃ流すのと、３アンペアを１／１８０ｓｅｃだけ流すのは同じであり、ＬＥＤバックライト１７の輝度が３アンペア分も必要ない場合、１／１８０ｓｅｃの点灯期間に２アンペア程度を流すことで、常に１アンペアを１／６０ｓｅｃ流してＬＥＤバックライト１７を点灯させておくよりもエネルギーの消費量が少なくて済み、省力化することができる。つまり液晶シャッタ２４を開口する期間以外の期間にＬＥＤバックライト１７を消灯させ、消灯期間分増加させた電流を開口期間にＬＥＤバックライト１７に流してもよい。
【００４７】
以下、図４のタイミングチャートを参照してこの実施形態のＴＶシステムの動作を説明する。
【００４８】
垂直同期信号Ｖは、ＩＲ通信により液晶シャッタ付きグラス２に受信されるので、ＬＥＤバックライト１７のｏｎタイミングに合わせて液晶シャッタ２４をｏｎ／ｏｆｆする。
【００４９】
この場合、図４に示すように、映像表示装置１では、液晶パネル１４の垂直同期信号Ｖの発生間隔の間にＬＥＤバックライト１７を点灯させる。
【００５０】
ＬＥＤバックライト１７のｏｎタイミングは液晶パネル１４が完全に立ち上がった（１フレーム分の映像が描画される期間）の任意の位置（期間）とするが、次の垂直同期信号Ｖが液晶駆動部１３に来る前にＬＥＤバックライト１７をｏｆｆする必要がある。
【００５１】
そこで、図４に示すように、次のフレームの直前のタイミングを終端位置としてＬＥＤバックライト１７の点灯信号のオン・オフ期間であるｄｕｔｙ（点灯期間Ｔ）と液晶シャッタの開口期間とが同期するように互いのタイミングを設定する。
【００５２】
ここで、液晶シャッタ２４の開閉動作でシャッタが完全に開口するまでに遅延が生じることから、開放信号Ｓの幅は、ＬＥＤバックライト１７の点灯期間Ｔよりも広くとるものとする。
【００５３】
なお、ｄｕｔｙは任意とするが、ｄｕｔｙが小さいほどコントラスト効果は大きくなる。
【００５４】
また、ｄｕｔｙを絞ることにより、ＬＥＤバックライト１７のＬＥＤがｏｎする時間が減少するので、ＬＥＤバックライト１７の消費電力を低減することができる。
【００５５】
換言すると、ＬＥＤバックライト１７を点灯させない分、ＬＥＤバックライト１７に流す電流を増加することが可能となるので、液晶パネル１４（ＴＶ画面）の輝度を増すことができ、結果として液晶パネル１４周囲とのコントラストが向上するともいえる。
【００５６】
（効果）  
以下、６０ＨｚのＴＶシステムでの実験データおよび予測値（推測値）を下記図５に示し、この実施形態のＴＶシステムの効果を説明する。図５は照明下で液晶パネル１４の画面に白を表示し周囲（白色の壁面：白板）とのコントラストを測定したものである。周囲とは白色の壁面であり、以下「白板」と称す。
【００５７】
図５に示すように、液晶シャッタ付きグラス２をかけていないときの曲線＊（以下「グラスなし」と称す）でｄｕｔｙ４０％（破線の位置）を、液晶パネル１４の画面（白）と周囲（白板）とのコントラスト（白／白板ＣＲ）を約１００％とする。このままｄｕｔｙ１００％（バックライト全点灯の状態）にすると、コントラスト（白／白板ＣＲ）は約２００％となる。
【００５８】
この状態に対して、液晶シャッタ付きグラス２の液晶シャッタ２４を常に開放した状態で液晶パネル１４のＬＥＤバックライト１７を点消灯制御しないとき（図５のグラス追加（ｏｆｆ）白／白板）のときは、コントラスト（白／白板ＣＲ）は１８０％程度（約２倍）となる。これは光学系２３への入射光のうちランダム偏光が偏光板によって遮られる効果が出たものである。
【００５９】
また、液晶シャッタ付きグラス２を開閉制御し、液晶パネル１４のＬＥＤバックライト１７を点消灯制御したとき（図５のグラス追加（ｏｎ）白／白板）曲線△、つまりＬＥＤバックライト１７と液晶シャッタ２４を共に駆動したときは、ｄｕｔｙ４０％（破線の位置）で４００％を超え（約４００％）、グラスなしのときの４倍のコントラストになることが判る。
【００６０】
さらに、ＬＥＤ電流（Ｉｆ）を仮に３倍とすると（図５のglassON+lf3倍時白／白板）曲線◇、ｄｕｔｙ４０％（破線の位置）でコントラスト（白／白板ＣＲ）が９５０％にまで達し、コントラストがグラスなしのときの９．５倍となることが判る。
【００６１】
このようにこの第１実施形態の映像システムによれば、１画面分の映像を描画する１フレームの短い期間の中の所定の期間に液晶パネル１４のＬＥＤバックライト１７を点灯させてこの点灯に同期させて液晶シャッタ付きグラス２の液晶シャッタ２４を開口し他の期間はＬＥＤバックライト１７を消灯し液晶シャッタ２４を閉口することで、明所での画面対周辺輝度のコントラストが上がり液晶パネル１４に表示される映像の視認性を改善することができる。
【００６２】
また、この実施形態の場合、映像表示装置１から開放信号Ｓを赤外線で発信するだけなので、赤外線が届く範囲であれば、同時に利用可能なグラスの数に制限はなく、複数人（多人数）での視聴が可能である。
【００６３】
さらに、ＬＥＤバックライト１７に流す電流を増やすことで視認性が改善するが、通常よりＬＥＤ電流を絞り液晶シャッタ閉口時にＬＥＤバックライト１７を消灯することによる映像表示装置１の側の省エネルギー効果も期待できる。
【００６４】
（第２実施形態）  
図６は第２実施形態の映像システムを示す図である。  
図６に示すように、第２実施形態の映像システムは、映像表示装置１に同期処理部１９を備え、液晶シャッタ付きグラス２に同期処理部２７を備える。
【００６５】
同期処理部１９は、入力された垂直同期信号ＶからＬＥＤバックライト１７の点消灯制御のための制御信号（この例では点灯信号Ｐ）を生成し、点灯信号ＰをＬＥＤドライバ１６とＩＲ通信部１８へ出力する。なおこの例では点灯信号Ｐとしたが、この逆に、ＬＥＤバックライト１７を消灯するための消灯信号としてもよい。
【００６６】
ＩＲ通信部１８は、同期処理部１５から入力された点灯信号Ｐを液晶シャッタ付きグラス２へ赤外線通信（ＩＲ通信）により出力する。
【００６７】
ＩＲ通信部２１は、映像表示装置から赤外線通信（ＩＲ通信）にて送信された点灯信号Ｐを受信し同期処理部２７に渡す。
【００６８】
同期処理部２７は、ＩＲ通信部２１から受け取った点灯信号Ｐから、点灯信号Ｐよりも期間が広い（長い）開放信号Ｓを生成し、駆動部２２に出力する。
【００６９】
このようにこの第２実施形態の映像システムによれば、映像表示装置１からＬＥＤバックライト１７の点消灯制御のための制御信号である点灯信号Ｐを送信し、液晶シャッタ付きグラス２の側で点灯信号Ｐを開放信号Ｓに変換して液晶シャッタ２４を駆動することで、第１実施形態と同様の効果が得られる。この場合、映像表示装置１の同期処理部１９を簡素化できる反面、液晶シャッタ付きグラス２の側に同期処理部２７を増設する必要がある。
【００７０】
（第３実施形態）  
図７は第２実施形態の映像システムを示す図である。  
図７に示すように、第３実施形態の映像システムは、第１実施形態の変形例であり、室内に配置して使用する固定型の映像表示装置１の代わりに、屋外などに携帯して持ち出して利用する電子機器の一つであるスマートフォン６０（携帯端末）と、上記各実施形態の液晶シャッタ付きグラス２とを組み合わせた例である。電子機器としては、スマートフォン６０以外に、タブレット端末やノート型のコンピュータなどであってもよい。
【００７１】
太陽光が降りそそぐ環境下でスマートフォン６０を使用する場合、明るい太陽光の影響で画面が暗く見にくくなるが、上記実施形態で開示した偏光機能（偏光板）、波長制御機能（カラーフィルタ２５）および液晶シャッタ２４の開閉タイミングの制御機能を有する液晶シャッタ付きグラス２（図２や図６）を用いることで、コントラストが改善されるので、屋外でもスマートフォン６０の映像を視聴しやすくなる。
【００７２】
このようにこの第３実施形態の映像システムによれば、屋外環境においても液晶パネル１４に表示される映像の視認性を改善することができ、スマートフォン６０の画面に映し出される映像を視聴し易くできる。
【００７３】
本発明の実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００７４】
また上記実施形態に示した映像システムの映像表示装置１の一つ以上の構成要素を、コンピュータのハードディスク装置などのストレージにインストールしたプログラムで実現してもよく、また上記プログラムを、コンピュータ読取可能な電子媒体：electronic mediaに記憶しておき、プログラムを電子媒体からコンピュータに読み取らせることで本発明の機能をコンピュータが実現するようにしてもよい。電子媒体としては、例えばＣＤ−ＲＯＭ等の記録媒体やフラッシュメモリ、リムーバブルメディア：Removable media等が含まれる。さらに、ネットワークを介して接続した異なるコンピュータに構成要素を分散して記憶し、各構成要素を機能させたコンピュータ間で通信することで実現してもよい。
【符号の説明】
【００７５】
１…映像表示装置、２…液晶シャッタ付きグラス、１１…映像処理部、１２…表示制御部、１３…液晶駆動部、１４…液晶パネル、１５…同期処理部、１６…ＬＥＤドライバ、１７…ＬＥＤバックライト、１８…通信部、１９…同期処理部、２１…通信部、２２…駆動部、２３…光学系、２４…液晶シャッタ、２５…カラーフィルタ、２６…調光部、２７…同期処理部、６０…スマートフォン。
【図１】
2016065929.tif 000003
【図２】
2016065929.tif 000004
【図３】
2016065929.tif 000005
【図４】
2016065929.tif 000006
【図５】
2016065929.tif 000007
【図６】
2016065929.tif 000008
【図７】
2016065929.tif 000009